(57)【特許請求の範囲】
【請求項１】
小便器排水管によって排水横枝管に接続される小便器であって、
使用者の尿を受けるボウル部と、
このボウル部の底部に形成された排水口から流入する洗浄水又は尿を下流側に排出する排水トラップ部と、
前記ボウル部に洗浄水を供給する給水手段と、
前記小便器を使用する使用者を検知する検知手段と、
前記ボウル部への洗浄水の供給を制御する制御手段と、を備え、
前記制御手段は、
前記検知手段による前記小便器の使用の検知後に、使用者の尿を受けた前記ボウル部を洗浄し且つ前記排水トラップ部内の尿を排出する本洗浄モードと、
前記本洗浄モードが実行された後、一部の洗浄水が前記排水横枝管内を前記小便器排水管が接続された接続部より上流側を洗浄する第一設備洗浄モードと、
前記第一設備洗浄モードが実行された後から、前記第一設備洗浄モードにより前記接続部よりも上流側を洗浄した洗浄水が前記接続部よりも下流側に流下すると想定される所定時間を経過した後、一部の洗浄水が前記接続部よりも上流側を洗浄する第二設備洗浄モードと、を有し、
前記第一設備洗浄モード及び前記第二設備洗浄モードのうち少なくとも何れか一方においては、前記排水トラップ部から下流側に排出される排出水量又は排出瞬間流量の値が前記本洗浄モードにおける前記排水トラップ部から下流側に排出される排出水量又は排出瞬間流量の値以上の値とされ、
さらに、前記第一設備洗浄モード又は前記第二設備洗浄モード実行時に、前記検知手段が使用者の検知を行った場合、前記制御手段は前記第一設備洗浄モード又は前記第二設備洗浄モードを停止し、前記検知手段による使用者の検知が所定時間未満である場合は、前記小便器が使用されていないと判断し、以後前記第一設備洗浄モード又は前記第二設備洗浄モードの実行を再開することを特徴とする小便器。
【請求項２】
さらに、前記第一設備洗浄モード又は前記第二設備洗浄モード実行時に、前記検知手段が使用者の検知を行った場合、前記制御手段は、前記第一設備洗浄モード又は前記第二設備洗浄モードを停止し、前記検知手段による使用者の検知が所定時間以上である場合は、前記小便器が使用されたと判断し、以後の前記第一設備洗浄モード又は前記第二設備洗浄モードの実行をキャンセルし、前記検知手段の使用者の検知終了後に、前記本洗浄モードを実行する、請求項１に記載の小便器。
【発明の詳細な説明】
【技術分野】
【０００１】
本発明は、小便器に係り、特に、小便器排水管によって排水横枝管に接続される小便器に関する。
【背景技術】
【０００２】
従来から、特許文献１に示されているように、小便器の下流に設けられた排水用の横引配管内における尿石の発生を抑制するために、使用回数又は使用時間間隔がそれぞれ所定の計測値に到達したとき、設備保護洗浄動作を行う小便器が知られている。この小便器の設備保護洗浄動作においては、便器吐水部のみならず手洗吐水部からも洗浄水を吐水させることによって、小便器本体を洗浄する際の瞬間流量より、設備保護洗浄時の瞬間流量を大きくさせ、横引配管内の水位を上昇させ、尿混じり洗浄水と空気との境界部分である喫水面を洗浄している。
【０００３】
また、特許文献２に示されているように、小便器の下流に設けられた排水用の横引配管内の上流側へ尿混じり洗浄水が逆流することで、排水終了後に上流側に尿が残存してしまい尿石が発生するといった問題が知られており、この課題を解決するために、トラップ内に溜まっている尿を洗浄水によって置換するための第一洗浄モードと、第一洗浄モードにより横引配管内に残される残存尿を洗浄するための第二洗浄モードとを実行する小便器が知られている。
【先行技術文献】
【特許文献】
【０００４】
【特許文献１】特開２０１３−１５５２３号公報
【特許文献２】特開２０１４−０６２４５９号公報
【発明の概要】
【発明が解決しようとする課題】
【０００５】
近年、環境意識の高まりを受けて、節水化の要請が更に高まっており、小便器のボウル部を洗浄する洗浄水量を低減することが求められている。
しかしながら、洗浄水量を低減しようとする場合には、排水用配管を洗浄する洗浄水量が低減されることから、排水用配管内の洗浄が不十分となる可能性があり、尿石が生じやすくなるという問題があった。
【０００６】
また、小便器の洗浄水量を低減する場合には、小便器の洗浄水量に対応する排水トラップの封水（溜水）の量も低減する必要が生じるため、使用者の排尿後に排水トラップに存在する尿の濃度が従来よりも高くなり、小便器の本洗浄により横引配管内に排出される尿の濃度も高くなることから、この濃度の高い尿が横引配管内に残存する場合にさらに尿石が生じやすくなるという問題がある。
すなわち、特許文献１に示されているように、設備保護洗浄時に瞬間流量を大きくした洗浄水を流すのみでは、尿の濃度の高い尿混じり洗浄水が横引配管内の上流側へ逆流したまま残存してしまい尿石が発生するといった問題が生じる。
また、特許文献２に示されているような横引配管内に残される残存尿を洗浄するための第二洗浄モードにおいては、洗浄水量を低減する場合には、横引配管内の上流側の洗浄が依然として不十分となるという問題があり、また、第二洗浄モードにおいて、洗浄水量又は流量を調整して、尿混じり洗浄水と空気との境界部分である喫水面を洗浄することは想定されていないことから、横引配管内の喫水面についても十分に洗浄できないという問題が生じている。
したがって、節水化により洗浄水量が低減されたとしても、横引配管内において、尿が上流側へ逆流することによる尿石の発生を抑制し、且つ、喫水面付近での尿石発生を抑制する必要が生じている。
【０００７】
そこで、本発明は、従来技術の欠点を解決するためになされたものであり、本洗浄モードが実行された後、排水横枝管内において小便器排水管が接続された接続部より上流側まで逆流されて残存している尿を、排水横枝管から排出することができ、排水横枝管内の小便器排水管が接続された接続部より上流側における尿石の発生を抑制することができ、また、本洗浄モードにおける排水横枝管内の洗浄水の喫水面近傍を尿濃度の比較的低い洗浄水で洗浄することができ、尿石が付着しやすいこの喫水面近傍を効果的に洗浄して、尿石の発生を抑制することができる。従って、節水化により洗浄水量が低減されている場合においても、排水横枝管における尿石の発生を抑制することができる小便器を提供することを目的としている。
【課題を解決するための手段】
【０００８】
上記の目的を達成するために、本発明は、小便器排水管によって排水横枝管に接続される小便器であって、使用者の尿を受けるボウル部と、このボウル部の底部に形成された排水口から流入する洗浄水又は尿を下流側に排出する排水トラップ部と、ボウル部に洗浄水を供給する給水手段と、小便器を使用する使用者を検知する検知手段と、ボウル部への洗浄水の供給を制御する制御手段と、を備え、制御手段は、前記検知手段による前記小便器の使用の検知後に、使用者の尿を受けたボウル部を洗浄し且つ排水トラップ部内の尿を排出する本洗浄モードと、本洗浄モードが実行された後、一部の洗浄水が排水横枝管内を小便器排水管が接続された接続部より上流側を洗浄する第一設備洗浄モードと、第一設備洗浄モードが実行された後から、第一設備洗浄モードにより接続部よりも上流側を洗浄した洗浄水が接続部よりも下流側に流下すると想定される所定時間を経過した後、一部の洗浄水が接続部よりも上流側を洗浄する第二設備洗浄モードと、を有し、第一設備洗浄モード及び第二設備洗浄モードのうち少なくとも何れか一方においては、排水トラップ部から下流側に排出される排出水量又は排出瞬間流量の値が本洗浄モードにおける排水トラップ部から下流側に排出される排出水量又は排出瞬間流量の値以上の値とされ、さらに、第一設備洗浄モード又は第二設備洗浄モード実行時に、検知手段が使用者の検知を行った場合、制御手段は第一設備洗浄モード又は第二設備洗浄モードを停止し、検知手段による使用者の検知が所定時間未満である場合は、小便器が使用されていないと判断し、以後第一設備洗浄モード又は第二設備洗浄モードの実行を再開することを特徴としている。
このように構成された本発明においては、排水トラップ部内の尿を排出する本洗浄モードにおいて、排水横枝管内の前記小便器排水管が接続された接続部より上流側まで尿が逆流されて残存してしまう場合においても、本洗浄モードが実行された後、一部の洗浄水が排水横枝管内を小便器排水管が接続された接続部より上流側を洗浄する第一設備洗浄モードと、第一設備洗浄モードが実行された後から、第一設備洗浄モードにより接続部よりも上流側を洗浄した洗浄水が接続部よりも下流側に流下すると想定される所定時間を経過した後、一部の洗浄水が接続部よりも上流側を洗浄する第二設備洗浄モードと、により２回の洗浄を行うことができる。この第一設備洗浄モードと第二設備洗浄モードのサイクルを繰り返し行っても良い。また、第一設備洗浄モードと第二設備洗浄モードとのうち少なくとも何れか一方においては、排水トラップ部から下流側に排出される排出水量又は瞬間流量の値が本洗浄モードにおける排水トラップ部から下流側に排出される排出水量又は瞬間流量の値以上の値となっている。
従って、本洗浄モードが実行された後、排水横枝管内において小便器排水管が接続された接続部より上流側まで逆流されて残存している尿を、排水横枝管から排出することができ、排水横枝管内の小便器排水管が接続された接続部より上流側における尿石の発生を抑制することができる。
また、第一設備洗浄モードと第二設備洗浄モードとのうち少なくとも何れか一方においては、排水トラップ部から下流側に排出される排出水量又は瞬間流量の値が本洗浄モードにおける排水トラップ部から下流側に排出される排出水量又は瞬間流量の値以上の値となる。よって、第一設備洗浄モードと第二設備洗浄モードとのうち少なくとも何れか一方における排水横枝管内の洗浄水の喫水面の高さを、本洗浄モードにおける排水横枝管内の洗浄水の喫水面の高さ以上にさせることができる。本洗浄モードにおける排水横枝管内の洗浄水の喫水面近傍を尿濃度の比較的低い洗浄水で洗浄することができ、尿石が付着しやすいこの喫水面近傍を効果的に洗浄して、尿石の発生を抑制することができる。
従って、節水化により洗浄水量が低減されている場合においても、排水横枝管における尿石の発生を抑制をすることができる。
さらに、このように構成された本発明においては、本洗浄モードが実行された後の第一設備保護洗浄モード又は第二設備保護洗浄モードの実行中の状態において、検知手段による使用者の検知が所定時間未満である場合は、小便器が使用されていないと判断し、以後の第一設備保護洗浄モード又は第二設備保護洗浄モードの実行をキャンセルせずに、停止された状態から、第一設備保護洗浄モード又は第二設備保護洗浄モードの実行を再開し、前記第一設備洗浄モード及び前記第一設備洗浄モードが実行された後に実行される前記第二設備洗浄モードを所定時間おきに繰り返し実行することができる。
【０００９】
本発明において、好ましくは、さらに、前記第一設備洗浄モード又は前記第二設備洗浄モード実行時に、前記検知手段が使用者の検知を行った場合、制御手段は、前記第一設備洗浄モード又は前記第二設備洗浄モードを停止し、前記検知手段による使用者の検知が所定時間以上である場合は、小便器が使用されたと判断し、以後の第一設備保護洗浄モード又は第二設備保護洗浄モードの実行をキャンセルし、検知手段の使用者の検知終了後に、本洗浄モードを実行する。
このように構成された本発明においては、本洗浄モードが実行された後の第一設備保護洗浄モード又は第二設備保護洗浄モードの実行中の状態において、検知手段による使用者の検知が所定時間以上である場合は、小便器が使用されたと判断し、以後の前記第一設備保護洗浄モード又は前記第二設備保護洗浄モードの実行をキャンセルし、本洗浄モードを実行し、本洗浄モードが実行された後、前記第一設備洗浄モード及び前記第一設備洗浄モードが実行された後に実行される前記第二設備洗浄モードを所定時間おきに繰り返し実行することができる。
【００１３】
本発明において、好ましくは、さらに、小便器を使用する使用者を検知する検知手段を有し、前記第一設備洗浄モード又は前記第二設備洗浄モード実行時に、前記検知手段が使用者の検知を行った場合、制御手段は、前記第一設備洗浄モード又は前記第二設備洗浄モードを停止し、前記検知手段による使用者の検知が所定時間以上である場合は、小便器が使用されたと判断し、以後の第一設備洗浄モード又は第二設備洗浄モードの実行をキャンセルし、検知手段の使用者の検知終了後に、本洗浄モードを実行する。
このように構成された本発明においては、本洗浄モードが実行された後の第一設備洗浄モード又は第二設備洗浄モードの実行中の状態において、検知手段による使用者の検知が所定時間以上である場合は、小便器が使用されたと判断し、以後の前記第一設備洗浄モード又は前記第二設備洗浄モードの実行をキャンセルし、本洗浄モードを実行し、本洗浄モードが実行された後、前記第一設備洗浄モード及び前記第一設備洗浄モードが実行された後に実行される前記第二設備洗浄モードを所定時間おきに繰り返し実行することができる。
【発明の効果】
【００１７】
本発明の小便器によれば、本洗浄モードが実行された後、排水横枝管内において小便器排水管が接続された接続部より上流側まで逆流されて残存している尿を、排水横枝管から排出することができ、排水横枝管内の小便器排水管が接続された接続部より上流側における尿石の発生を抑制することができ、また、本洗浄モードにおける排水横枝管内の洗浄水の喫水面近傍を尿濃度の比較的低い洗浄水で洗浄することができ、尿石が付着しやすいこの喫水面近傍を効果的に洗浄して、尿石の発生を抑制することができる。従って、節水化により洗浄水量が低減されている場合においても、排水横枝管における尿石の発生を抑制をすることができる。
【図面の簡単な説明】
【００１８】
【図１】本発明の実施形態による小便器を示す概略断面図である。
【図２】本発明の実施形態による小便器の上部の収納室内部を上面から見た概略上面図である。
【図３】本発明の実施形態による小便器の自動便器洗浄ユニットの内部構造を概略的に示すブロック図である。
【図４】本発明の実施形態による小便器の洗浄動作の第１例を示すタイムチャートである。
【図５】本発明の実施形態による小便器の洗浄動作の第２例を示すタイムチャートである。
【図６】本発明の実施形態による小便器の本洗浄モードＭ０において、洗浄水及び尿が小便器から小便器排水管及び排水横枝配管内に流れる様子を概略的に示す図である。
【図７】本発明の実施形態による小便器の第一設備洗浄モードＭ１において、洗浄水が小便器から小便器排水管及び排水横枝配管内に流れる様子を概略的に示す図である。
【図８】本発明の実施形態による小便器の第二設備洗浄モードＭ２において、洗浄水が小便器から小便器排水管及び排水横枝配管内に流れる様子を概略的に示す図である。
【図９】図９（ａ）本発明の実施形態による小便器の下流側に延びる排水横枝配管において、本洗浄モードＭ０が実行された場合に尿及び洗浄水が排水横枝配管内を流れる様子を示す図である。図９（ｂ）本発明の実施形態による小便器の下流側に延びる排水横枝配管において、第一設備洗浄モードＭ１が実行された場合に尿混じり洗浄水及び洗浄水が排水横枝配管内を流れる様子を示す図である。図９（ｃ）本発明の実施形態による小便器の下流側に延びる排水横枝配管において、第二設備洗浄モードＭ２が実行された場合に洗浄水が排水横枝配管内を流れる様子を示す図である。
【発明を実施するための形態】
【００１９】
添付図面を参照して、本発明の実施形態による小便器を説明する。先ず、図１及び図２により小便器の基本構造を説明する。図１は本発明の実施形態による小便器を示す概略断面図であり、図２は本発明の実施形態による小便器の上部の収納室内部を上面から見た概略上面図である。
【００２０】
図１、符号１は、本発明の実施形態による小便器を示し、小便器１は、建物、例えばトイレの壁面２の表側に複数個並んで設置され又は単独で配置されている。小便器１の壁面２側の下部から建築物の壁面２を通って壁面２の裏側に延びる小便器排水管４が、この小便器１の設置された壁面２の裏側下方において、わずかに下り傾斜しながら横向きに延びる排水用の排水横枝配管６と接続されている。排水横枝配管６は、水平方向よりも傾斜が付けられて配置されており、この傾斜の上り側を上流側、この傾斜の下り側を下流側として説明する。この排水横枝配管６は、下流側において、縦排水管（図示せず）に接続されている。それぞれの小便器１は、自身を洗浄した洗浄水（給水される上水のみの状態及び/又は上水が尿混じりの洗浄水となって排水される状態を含む）を、壁面２の裏側に延びる小便器排水管４を通して、排水横枝配管６に排水するようになっている。なお本件発明は上記壁排水小便器に限定されるわけではなく、床に小便器排水管や排水横枝配管に設置される床排水小便器にも適用することができる。
【００２１】
図１及び図２に示すように、この小便器１は、陶器製の小便器本体８と、この小便器本体８を洗浄するための自動便器洗浄ユニット１０を備えている。小便器１は背後の壁面２に沿って取付けられる壁掛け式の小便器であるが、小便器１は床面上に直接配置される床置き式の小便器であってもよい。また、小便器１は、例えば、洗浄時に０．５Ｌ〜２．０Ｌ（好ましくは、０．８Ｌ〜１．０Ｌ）の洗浄水量で洗浄する節水型の小便器であってもよい。以下、小便器１の正面側を前方側、その背面側を後方側（奥側）、小便器１の正面から見て左側を左側、小便器１の正面から見て右側を右側として説明する。
【００２２】
小便器１の小便器本体８は、上方端に自動便器洗浄ユニット１０を収納するための収納室１２と、この収納室１２の前面１４から下方に延びるボウル面を形成するボウル部１６と、このボウル部１６の底部に形成された排水口部１８と、排水口部１８の下流側において溜水Ｗを貯溜して封水を形成する排水トラップ２０と、 この排水トラップ２０の下流側の排水器具接続部２２とを備えている。
小便器本体８の排水器具接続部２２には、排水ソケット２４が接続され、排水ソケット２４には、排水用の小便器排水管４が接続され、小便器排水管４が壁面２の表側から裏側まで延びて排水横枝配管６に接続されている。
【００２３】
次に、図２及び図３に示す自動便器洗浄ユニット１０について説明する。
図３は本発明の実施形態による小便器の自動便器洗浄ユニットの概略構成を示す図である。
収納室１２は、小便器本体８と別体である蓋２３により形成されている。また、収納室１２の前面１４は、後方に向かって傾斜して形成されている。収納室１２に収納される自動便器洗浄ユニット１０は、水道等の給水源から洗浄水を供給する給水管２６と、給水管２６に設けられる止水弁２８と、止水弁２８の下流側に設けられたバルブユニット３０と、バルブユニット３０から供給される洗浄水をボウル部１６に吐水する吐水部であるスプレッダ（給水手段）３２とを備えている。
【００２４】
バルブユニット３０は、給水管２６を主給水流路３６と電解水流路４２とに分岐する分岐部３４と、主給水流路３６に設けられる定流量弁３８と、定流量弁３８の下流側に設けられて主給水の供給及び停止を行う主給水流路電磁弁（調整手段）４０と、電解水流路４２に設けられる定流量弁４４と、定流量弁４４の下流側に設けられて電解水を含む給水の供給及び停止を行う電解水流路電磁弁（調整手段）４６と、電解水流路電磁弁４６の下流側に設けられる逆止弁４８と、電解水（除菌水）を注入する電解水注入ユニット５０とを備えている。また、スプレッダ３２には、ボウル部１６の前面に向けられ、使用者の有無を検知する人体検知センサ（検知手段）５２が取付けられている。ここで、電解水注入ユニット５０は、電解水注入ユニット５０中の電解槽において洗浄水中の塩化物イオンから次亜塩素酸を生成して電解水（除菌水）を生成できる機構を有し、この生成した電解水（除菌水）を洗浄水に注入することができる。電解水（除菌水）とは、洗浄水中の塩化物イオンから次亜塩素酸を生成した成分を含む水であり、尿石菌、バクテリア等の殺菌消毒効果及び増殖抑制効果を有している。
【００２５】
自動便器洗浄ユニット１０は、さらに、人体検知センサ５２からの検知信号及び所定の制御プログラム等に基づいて主給水流路電磁弁４０等を制御することができる制御ユニット５４を備えている。
具体的には、制御ユニット５４は、人体検知センサ５２からの検知信号及び所定の制御プログラム等に基づいて、主給水流路電磁弁４０を開閉制御し、洗浄水をスプレッダ３２からボウル部１６に吐水させるようになっている。主給水流路電磁弁４０を開いている際に、スプレッダ３２から吐水される洗浄水の瞬間流量は、後述する本洗浄モードＭ０、第一設備洗浄モードＭ１及び第二設備洗浄モードＭ２のいずれにおいてもほぼ一定に設定されている。よって、スプレッダ３２から吐水される洗浄水の給水流量は、主給水流路電磁弁４０を開弁している時間により決定される。
なお、変形例として、スプレッダ３２は、自身から吐水できる洗浄水の瞬間流量を変更できるように、主給水流路３６とは別にさらに追加された他の給水流路機構を有していてもよい。このような場合には、スプレッダ３２は、主給水流路３６からの洗浄水の給水流量及び吐水瞬間流量に加え、他の給水流路から供給される洗浄水の給水流量及び吐水瞬間流量を合計した値をもって吐水することができる。
また、制御ユニット５４は、人体検知センサ５２からの検知信号及び所定の制御プログラム等に基づいて、電解水流路電磁弁４６を開閉制御し、さらに電解水注入ユニット５０を作動させ、電解水の注入された洗浄水をスプレッダ３２からボウル部１６に吐水させるようになっている。
【００２６】
次に、ボウル部１６は、水平方向においてその上部が比較的大きな曲率半径を有する円弧面を形成し、その下部が比較的小さな曲率半径を有する円弧面を形成している。スプレッダ３２は、このボウル部１６の左右中心軸線上の中央より上方の高さ位置に設けられている。さらに、ボウル部１６は、その底部が湾曲しながら収束するような鉢形状に形成されている。よって、後述する各洗浄モードにおいては、スプレッダ３２から吐水された洗浄水が、ボウル部１６の底部内において排水トラップ２０の入口の排水口６０近傍に一時的に貯まることができ、この一時的に溜まった洗浄水の水頭高さ（通常時の溜水Ｗの面からの高さ）が、排水トラップ２０から排水される洗浄水に圧力を及ぼすこととなり、排水トラップ２０から小便器排水管４及び排水横枝配管６に排出される洗浄水の瞬間流量及び水量を変化させることとなる。
排水口部１８には、上流側のその入口部１８ａにおいて目皿５８が配置されている。さらに、排水口部１８には、下流側のその出口部１８ｂにおいて排水トラップ２０の入口を構成する排水口６０が形成されている。
【００２７】
排水トラップ２０の下流側には、排水器具接続部２２が設けられ、排水器具接続部２２に排水ソケット２４が接続されるようになっているが、排水ソケット２４を省略し、排水器具接続部２２に小便器排水管４を接続することもできる。
【００２８】
次に、図４乃至図９により、本発明の実施形態による動作（作用）について説明する。
図４は本発明の実施形態による小便器の洗浄動作の第１例を示すタイムチャートであり、図５は本発明の実施形態による小便器の洗浄動作の第２例を示すタイムチャートであり、図６は本発明の実施形態による小便器の本洗浄モードＭ０において、洗浄水及び尿が小便器本体から小便器排水管及び排水横枝配管内に流れる様子を概略的に示す図であり、図７は本発明の実施形態による小便器の第一設備洗浄モードＭ１において、洗浄水が小便器本体から小便器排水管及び排水横枝配管内に流れる様子を概略的に示す図であり、図８は本発明の実施形態による小便器の第二設備洗浄モードＭ２において、洗浄水が小便器本体から小便器排水管及び排水横枝配管内に流れる様子を概略的に示す図であり、図９（ａ）は本発明の実施形態による小便器の下流側に延びる排水横枝配管において、本洗浄モードＭ０が実行された場合に尿及び洗浄水が排水横枝配管内を流れる様子を示す図であり、図９（ｂ）は本発明の実施形態による小便器の下流側に延びる排水横枝配管において、第一設備洗浄モードＭ１が実行された場合に尿混じり洗浄水及び洗浄水が排水横枝配管内を流れる様子を示す図であり、図９（ｃ）は本発明の実施形態による小便器の下流側に延びる排水横枝配管において、第二設備洗浄モードＭ２が実行された場合に洗浄水が排水横枝配管内を流れる様子を示す図である。
図４及び図５において、横軸は時刻を表し、縦軸方向の上段において、人体検知センサ５２が使用者を検知していない状態であるＯＦＦ状態と使用者を検知している状態であるＯＮ状態との変化を示し、縦軸方向の下段において、主給水流路電磁弁４０が閉弁されて洗浄水がスプレッダ３２から吐水されていない状態であるＯＦＦ状態と主給水流路電磁弁４０が開弁されて洗浄水がスプレッダ３２から吐水されている状態であるＯＮ状態との変化を示している。
【００２９】
先ず、本発明の実施形態による小便器の洗浄動作の第１例について説明する。
図４に示すように、待機状態（時刻ｔ０〜ｔ１）において、通常、使用者が小便器１の前に立つとき（時刻ｔ１）、人体検知センサ５２が使用者の存在を検出して検出情報を制御ユニット５４に送り、制御ユニット５４は使用者の存在を認識する。使用者が放尿する前の待機状態においては排水トラップ２０内には主に洗浄水が溜水Ｗとして存在している状態になっている。
使用者が小便器１のボウル部１６に放尿を行うとき（時刻ｔ１〜ｔ２）、ボウル部１６の底部１６ａから排水トラップ２０内に尿が流れ込み、流れ込んだ尿によってもともと存在した溜水Ｗの大部分が排出される（置換される）。尿が排水トラップ２０内に流れ込んだ直後は尿自身も排水トラップ２０の下流側の小便器排水管４及び排水横枝配管６に流れ出している状態となる。排水トラップ２０内には尿と水とが混ざり合った尿濃度の非常に高い液体が存在する又はほぼ尿がそのまま存在する新たな溜水Ｗとして存在する状態となる。この排水トラップ２０内に存在する尿と水とが混ざり合った尿濃度の非常に高い液体又は尿そのものを、以下尿Ｕとして説明する。
【００３０】
使用者が小便器１のボウル部１６に放尿を終え、放尿を済ませた使用者が小便器１の前から立ち去るときに、人体検知センサ５２が使用者の存在を検出しなくなる状態に変化する（時刻ｔ２）。人体検知センサ５２が一定時間以上の間検出状態を継続した後に、人体検知センサ５２が非検出状態に変わると、制御ユニット５４は使用者が小便器１から立ち去ったと認識して、本洗浄モードＭ０を開始し、小便洗浄動作を開始する（時刻ｔ２）。
【００３１】
本洗浄モードＭ０においては、使用者の尿を受けたボウル部１６を洗浄し且つ排水トラップ２０内の尿を排出する。
具体的には、制御ユニット５４は、主給水流路電磁弁４０に制御信号を送って主給水流路電磁弁４０を開き、先に決定した量の洗浄水Ｗｆをスプレッダ３２からボウル部１６に吐水させる。吐水される洗浄水の量は単位時間あたりほぼ一定の瞬間流量（例えば、９Ｌ／ｍｉｎ）に設定されている。この洗浄水Ｗｆは、ボウル部１６を流下して、排水口部１８に到達する。この流下する洗浄水Ｗｆは、排水トラップ２０を通過する際に流路抵抗を受けるため、排水トラップ２０の入口近傍に一時的に貯まるような状態となり、この一時的に溜まった洗浄水の水頭高さ（通常の溜水面からの水頭高さ）が、排水トラップ２０から排水される洗浄水に圧力を及ぼし、洗浄水の瞬間流量を変化させることとなる。図６に示すように、洗浄水Ｗｆは、排水トラップ２０内に存在する尿Ｕを押し出すようにしながら、尿Ｕとともに下流側に流れる。スプレッダ３２から吐水される洗浄水Ｗｆの水量又は瞬間流量、前記水頭高さ等から、洗浄水Ｗｆ及び尿Ｕが、排水トラップ２０から下流側に排出される排出水量又は排出瞬間流量の値が決定される。例えば、排水トラップ２０から下流側に排出される排出瞬間流量の値は７Ｌ／ｍｉｎとなっている。
【００３２】
図６（ａ）乃至（ｄ）に示すように、洗浄水Ｗｆ及び尿Ｕは、排水トラップ２０から排水器具接続部２２及び排水ソケット２４を介して小便器排水管４に排水される。洗浄水Ｗｆ及び尿Ｕは、矢印Ｂに示すように、小便器排水管４に沿って小便器後方に流れ、排水横枝配管６との接続部５６に到達する。
図６（ａ）に示すように、本洗浄モードにおいて排水トラップ２０から小便器排水管４に排水される洗浄水は、主に、新たに流入する洗浄水Ｗｆが、排水トラップ２０内の尿Ｕを押し流すように流れる。この流れが小便器排水管４から接続部５６に到達するとき、流れが比較的速い流れであるので、尿Ｕが排水横枝配管６の上流側Ｆの上流側領域６ｄにおける部分と下流側Ｅの下流側領域６ｅにおける部分とに分かれるように押し出される。
図６（ｂ）に示すように、さらに後続の洗浄水Ｗｆが流入すると、尿Ｕが上流側の尿Ｕｆと下流側の尿Ｕｅとに分断される。
引き続いて、図６（ｃ）に示すように、洗浄水Ｗｆの供給が終了すると（時刻ｔ３）、洗浄水Ｗｆは下流側の尿Ｕｅとともに下流側に流下していく。このとき、上流側Ｆの方向に逆流した尿Ｕｆが洗浄水Ｗｆとともに流れることなく取り残された状態となる。図６（ｄ）に示すように、本洗浄モード終了後においては、このように取り残された尿Ｕｆが、排水横枝配管６内の内壁に付着して残存した状態の尿Ｕｆ０となる。
【００３３】
また、本洗浄モードＭ０の排水の最中において、本洗浄モードＭ０の洗浄水量及び排出瞬間流量は、毎回ほぼ一定に設定されていることから、図９（ａ）に示すように、排水時の排水横枝配管６内の最高高さ位置の喫水面（水面）ＷＬ０の高さは毎回ほぼ一定にされている。よって、排水横枝配管６内の内側壁面６ａと、高さＷＬ０の高さ位置の尿Ｕ（及び/又は洗浄水Ｗｆ）の水面とが接する境界部６ｂ上にバクテリアが増殖しやすく、尿石６ｃの付着（発生）が生じやすくなる。
【００３４】
本洗浄モードＭ０においては、制御ユニット５４は、所定時間（時刻ｔ２〜ｔ３の間）にわたって主給水流路電磁弁４０を開弁し、例えば約０．８Ｌの洗浄水Ｗｆをスプレッダ３２から吐水させるようになっている。このとき、本洗浄モードＭ０における排水トラップ２０から下流側に排出される洗浄水量は０．８Ｌとなる。制御ユニット５４は、所定時間経過後、主給水流路電磁弁４０を閉弁し、本洗浄モードを終了させる（時刻ｔ３）。
【００３５】
次に、制御ユニット５４は、本洗浄モードＭ０が終了（時刻ｔ３）してから、例えば約２０秒の所定時間（時刻ｔ３〜ｔ４の間）経過後に、第一設備洗浄モードＭ１を開始させる。
第一設備洗浄モードＭ１は、本洗浄モードＭ０が実行された後、排水横枝配管６内を小便器排水管４が接続された接続部５６より上流側まで洗浄するようになっている。
具体的には、制御ユニット５４は、主給水流路電磁弁４０に制御信号を送って主給水流路電磁弁４０を開き、先に決定した量の洗浄水Ｗｆをスプレッダ３２からボウル部１６に吐水させる。なお、第一設備洗浄モードＭ１の吐水開始直前においては、排水トラップ２０内には主に本洗浄モードＭ０において供給された洗浄水Ｗｆが溜水Ｗとして存在している状態になっている。排水トラップ２０内の溜水Ｗにおける尿濃度は本洗浄モードＭ０の開始前と比べて相当低下された状態となっている。
【００３６】
第一設備洗浄モードＭ１において、洗浄水Ｗｆは、ボウル部１６を流下して、排水口部１８に到達する。この流下する洗浄水Ｗｆは、排水トラップ２０を通過する際に流路抵抗を受けるため、排水トラップ２０の入口の排水口６０近傍に水頭高さＨ１まで一時的に貯まるような状態となり、この一時的に溜まった洗浄水の通常の溜水面からの水頭高さＨ１が、排水トラップ２０から排水される洗浄水に圧力を及ぼすこととなる。このように水頭高さは供給瞬間流量がほぼ一定の場合であっても供給水量等によって変化することとなる。洗浄水Ｗｆは、排水トラップ２０内に存在する尿Ｕを押し出すようにしながら、尿Ｕとともに下流側に流れる。スプレッダ３２から吐水される洗浄水Ｗｆの水量又は瞬間流量、前記水頭高さ等から、洗浄水Ｗｆ及び尿Ｕが、排水トラップ２０から下流側に排出される排出水量又は排出瞬間流量の値が決定される。
第一設備洗浄モードＭ１において、排水トラップ２０の入口近傍における洗浄水の水頭高さはＨ１となり、これに対応する、排水トラップ２０から下流側に排出される洗浄水の排出瞬間流量はＦ１となっている。例えば、排水トラップ２０から下流側に排出される排出瞬間流量Ｆ１の値は７〜８Ｌ／ｍｉｎとなっている。
【００３７】
図７（ａ）乃至（ｃ）に示すように、洗浄水Ｗｆは、矢印Ｂに示すように、排水トラップ２０から小便器排水管４に沿って小便器後方に流れ、排水横枝配管６との接続部５６に到達する。
図７（ａ）に示すように、第一設備洗浄モードＭ１において排水トラップ２０から小便器排水管４に排水される洗浄水は、主に、新たに流入する洗浄水Ｗｆが、排水トラップ２０内の主に本洗浄モードＭ０において供給された洗浄水Ｗｆを押し流すように流れる。この洗浄水Ｗｆの流れが小便器排水管４から接続部５６に到達するとき、流れが比較的速い流れであるので、洗浄水Ｗｆが排水横枝配管６の上流側Ｆと下流側Ｅとに分かれるように広がる。洗浄水Ｗｆのうち上流側Ｆに向かう部分が付着した状態の尿Ｕｆ０の上流側を覆うように逆流する（上流側に遡り流れる）。従って、洗浄水Ｗｆが、接続部よりも上流側Ｆに存在する付着した状態の尿Ｕｆ０についても、洗浄することができる。
図７（ｂ）に示すように、第一設備洗浄モードＭ１において、洗浄水Ｗｆが排水横枝配管６の上流側Ｆにおいて到達する最高到達点Ｔ１は、本洗浄モードＭ０において、尿Ｕｆ（又は洗浄水Ｗｆ）が排水横枝配管６の上流側Ｆにおいて到達する最高到達点Ｔ０よりも上流側に位置している。
洗浄水Ｗｆの供給が終了すると（時刻ｔ５）、洗浄水Ｗｆは尿Ｕｆ０とともに下流側に流下していく。このとき、上流側Ｆの方向に逆流した洗浄水Ｗｆ及び尿Ｕｆ０のうち一部の尿混じり水Ｕｆ１が、洗浄水Ｗｆとともに流れることなく取り残された状態となる場合がある。よって、図７（ｃ）に示すように、第一設備洗浄モードＭ１終了後においては、このように取り残された比較的低濃度の尿混じり水Ｕｆ１が、排水横枝配管６内の内壁に付着して残存した状態となる。
【００３８】
また、第一設備洗浄モードＭ１の排水の最中において、第一設備洗浄モードＭ１における排水トラップ２０から下流側に排出される排出水量又は排出瞬間流量の値が、本洗浄モードＭ０における排水トラップ２０から下流側に排出される排出水量又は排出瞬間流量の値以上の値となるように設定されている。従って、図９（ｂ）に示すように、第一設備洗浄モードＭ１における排水時の排水横枝配管６内の最高高さ位置の喫水面（水面）ＷＬ１は、本洗浄モードＭ０における排水時の排水横枝配管６内の最高高さ位置の喫水面（水面）ＷＬ０よりも高い位置に上昇している。よって、通常の本洗浄モードＭ０において比較的尿石６ｃが生じやすい境界部６ｂ上の部分を、境界部６ｂ以上の最高高さ位置の喫水面ＷＬ１まで到達する洗浄水により洗浄することができ、境界部６ｂ上のバクテリアの増殖を抑制し、尿石６ｃの付着（発生）を抑制することができる。なお、第一設備洗浄モードＭ１における喫水面ＷＬ１が境界部６ｂの喫水面ＷＬ０と同じ高さであったとしても、比較的きれいな洗浄水により、境界部６ｂを洗浄することができるため、境界部６ｂ上のバクテリアの増殖を抑制し、尿石６ｃの付着（発生）を抑制することができる。
また、第一設備洗浄モードＭ１において、排水横枝配管６内を流れる洗浄水Ｗｆ及び尿混じり水Ｕｆ１の尿濃度は、本洗浄モードＭ０において排水横枝配管６内を流れる尿Ｕ及び洗浄水Ｗｆの尿濃度よりも低減されている。従って、第一設備洗浄モードＭ１においては、比較的きれいな洗浄水により、境界部６ｂを洗浄することができる。
【００３９】
第一設備洗浄モードＭ１においては、制御ユニット５４は、所定時間（時刻ｔ４〜ｔ５の間）にわたって主給水流路電磁弁４０を開弁し、例えば約１．０Ｌの洗浄水Ｗｆをスプレッダ３２から吐水させるようになっている。このとき、第一設備洗浄モードＭ１における排水トラップ２０から下流側に排出される洗浄水量は１．０Ｌとなる。制御ユニット５４は、所定時間経過後、主給水流路電磁弁４０を閉弁し、第一設備洗浄モードＭ１を終了させる（時刻ｔ５）。
【００４０】
次に、制御ユニット５４は、第一設備洗浄モードＭ１が終了（時刻ｔ５）してから、例えば約２０秒の所定時間（時刻ｔ５〜ｔ６の間）経過後に、第二設備洗浄モードＭ２を開始させる（時刻ｔ６）。すなわち、第二設備洗浄モードＭ２は、第一設備洗浄モードＭ１が実行された後から、第一設備洗浄モードＭ１により接続部５６よりも上流側Ｆの上流側領域６ｄを洗浄した洗浄水が概ね接続部５６よりも下流側Ｅに流下すると想定される所定時間を経過した後、再び、接続部５６よりも上流側の上流側領域６ｄを洗浄するように開始される。
具体的には、制御ユニット５４は、主給水流路電磁弁４０に制御信号を送って主給水流路電磁弁４０を開き、第二設備洗浄モードＭ２の先に決定した量の洗浄水Ｗｆをスプレッダ３２からボウル部１６に吐水させる。なお、第二設備洗浄モードＭ２の吐水開始直前においては、排水トラップ２０内には主に第一設備洗浄モードＭ１において供給された洗浄水Ｗｆが溜水Ｗとして存在している状態になっている。排水トラップ２０内の溜水Ｗにおける尿濃度は第一設備洗浄モードＭ１の開始前と比べて低下された状態となっている。
【００４１】
第二設備洗浄モードＭ２において、洗浄水Ｗｆは、ボウル部１６を流下して、排水口部１８に到達する。この流下する洗浄水Ｗｆは、排水トラップ２０を通過する際に流路抵抗を受けるため、排水トラップ２０の入口の排水口６０近傍に一時的に貯まるような状態となり、この一時的に溜まった洗浄水の水頭高さＨ２（通常時の溜水Ｗの面からの高さ）が、排水トラップ２０から排水される洗浄水に圧力を及ぼし、洗浄水の瞬間流量を変化させることとなる。洗浄水Ｗｆは、排水トラップ２０内に存在する洗浄水Ｗｆを押し出すようにしながら、洗浄水Ｗｆとともに下流側に流れる。スプレッダ３２から吐水される洗浄水Ｗｆの水量又は瞬間流量、前記水頭高さ等から、洗浄水Ｗｆが、排水トラップ２０から下流側に排出される排出水量又は排出瞬間流量の値が決定される。
第二設備洗浄モードＭ２において、ボウル部１６の底部における洗浄水の水頭高さはＨ２であり、これに対応する、排水トラップ２０から下流側に排出される排出瞬間流量はＦ２となっている。例えば、排水トラップ２０から下流側に排出される排出瞬間流量Ｆ２の値は７〜９Ｌ／ｍｉｎとなっている。
【００４２】
図８（ａ）乃至図８（ｃ）に示すように、洗浄水Ｗｆは、矢印Ｂに示すように、排水トラップ２０から小便器排水管４に沿って小便器後方に流れ、排水横枝配管６との接続部５６に到達する。
図８（ａ）に示すように、第二設備洗浄モードＭ２において排水トラップ２０から小便器排水管４に排水される洗浄水は、主に、新たに流入する洗浄水Ｗｆが、排水トラップ２０内の主に第一設備洗浄モードＭ１において供給された洗浄水Ｗｆを押し流すように流れる。この洗浄水Ｗｆの流れが小便器排水管４から接続部５６に到達するとき、流れが比較的速い流れであるので、洗浄水Ｗｆが排水横枝配管６の上流側Ｆの上流側領域６ｄにおける部分と下流側Ｅの下流側領域６ｅにおける部分とに分かれるように広がる。洗浄水Ｗｆのうち上流側Ｆに向かう部分が付着した状態の尿混じり水Ｕｆ１の上流側を覆うように逆流（上流側に遡り）する。従って、洗浄水Ｗｆが、接続部よりも上流側Ｆに存在する付着した状態の尿混じり水Ｕｆ１についても、洗浄することができる。
第二設備洗浄モードＭ２において、洗浄水Ｗｆが排水横枝配管６の上流側Ｆにおいて到達する最高到達点Ｔ２は、第一設備洗浄モードＭ１において、洗浄水Ｗｆが排水横枝配管６の上流側Ｆの上流側領域６ｄにおいて到達する最高到達点Ｔ１よりも上流側に位置している。
図８（ｂ）に示すように、洗浄水Ｗｆの供給が終了すると（時刻ｔ７）、洗浄水Ｗｆは尿混じり水Ｕｆ１とともに下流側に流下していく。このとき、接続部５６より上流側Ｆの領域において尿混じり水Ｕｆ１は取り残されていない状態であり、仮に水分が残っている状態であっても、尿の成分濃度が２回の洗浄によって相当低下された状態の洗浄水に起因する水分が残る状態であると考えられるから、排水横枝配管６内への尿石の付着を抑制することができる。
よって、図８（ｃ）に示すように、第二設備洗浄モードＭ２終了後においては、洗浄水Ｗｆが尿混じり水Ｕｆ１とともに排水され、排水横枝配管６は、尿の残存が抑制されるようにきれいに洗浄された状態となる。
【００４３】
また、第二設備洗浄モードＭ２の排水の最中において、第二設備洗浄モードＭ２における排水トラップ２０から下流側に排出される排出水量又は排出瞬間流量の値が、第一設備洗浄モードＭ１における排水トラップ２０から下流側に排出される排出水量又は排出瞬間流量の値以上の値となるように設定されている。従って、図９（ｃ）に示すように、第二設備洗浄モードＭ２における排水時の排水横枝配管６内の水面（喫水面）の喫水面ＷＬ２は、第一設備洗浄モードＭ１における排水時の排水横枝配管６内の水面（喫水面）の喫水面ＷＬ１よりも高い位置に上昇している。よって、通常の本洗浄モードＭ０において比較的尿石６ｃが生じやすい境界部６ｂ上の部分を、境界部６ｂより上方の最高高さ位置の喫水面ＷＬ２まで到達する洗浄水により洗浄することができ、境界部６ｂ上のバクテリアの増殖を抑制し、尿石６ｃの付着（発生）を抑制することができる。また、第二設備洗浄モードＭ２において、排水横枝配管６内を流れる洗浄水Ｗｆの尿濃度は、本洗浄モードＭ０において排水横枝配管６内を流れる尿Ｕ及び洗浄水Ｗｆの尿濃度よりも低減され、さらに、第一設備洗浄モードＭ１において排水横枝配管６内を流れる尿Ｕｆ１及び洗浄水Ｗｆの尿濃度よりも低減されている。従って、第二設備洗浄モードＭ２においては、比較的きれいな洗浄水により、境界部６ｂを洗浄することができる。
【００４４】
第二設備洗浄モードＭ２においては、制御ユニット５４は、第一設備洗浄モードＭ１の主給水流路電磁弁４０を開弁した所定時間よりも長い所定時間（時刻ｔ６〜ｔ７の間）にわたって主給水流路電磁弁４０を開弁し、例えば約１．２Ｌの洗浄水Ｗｆをスプレッダ３２から吐水させるようになっている。このとき、第二設備洗浄モードＭ２における排水トラップ２０から下流側に排出される洗浄水量は１．２Ｌとなる。制御ユニット５４は、所定時間経過後、主給水流路電磁弁４０を閉弁し、第二設備洗浄モードＭ２を終了させる（時刻ｔ７）。
【００４５】
なお、制御ユニット５４は、例えば、第二設備洗浄モードＭ２が終了した後に、必要に応じて、電解水流路電磁弁４６を開弁し、電解水（例えば次亜塩素酸を含む除菌水）の注入された洗浄水をスプレッダ３２からボウル部１６に吐水させる電解水洗浄モードＤを実行することができる。排水横枝配管６内が洗浄された後に電解水を流すことで、排水トラップ２０及び排水横枝配管６内を殺菌消毒することができ、排水トラップ２０及び排水横枝配管６内に残存する水分中における尿石菌等の繁殖を抑制し、長期間にわたり尿石の付着（発生）を抑制することができる。また、電解水（例えば次亜塩素酸を含む除菌水）の注入された洗浄水を注入する時期は第一設備洗浄モードＭ１の実行時、若しくは第二設備洗浄モードＭ２の実行時又は第一設備洗浄モードＭ１及び第二設備洗浄モードＭ２の両方の実行時であってもよい。
【００４６】
第二設備洗浄モードＭ２が終了した後、制御ユニット５４は、さらに一定の所定時間が経過するまでの間、例えば約２時間の所定時間が経過するまでの間、設備洗浄待機状態を継続し、この一定の所定時間が経過した場合、制御ユニット５４は、再び第一設備洗浄モードＭ１を開始させる。このように第二設備洗浄モードＭ２の終了から所定期間を経過する毎に、第一設備洗浄モードＭ１及び第二設備洗浄モードＭ２をさらに繰り返し行うことで、排水横枝配管６内の尿石の付着（発生）を抑制することができる。
【００４７】
次に、制御ユニット５４は、上述のように、再び第一設備洗浄モードＭ１を開始させる（時刻ｔ８）。この第一設備洗浄モードＭ１における洗浄動作については、前述の第一設備洗浄モードＭ１における洗浄動作と同様であるので説明を省略する。
第一設備洗浄モードＭ１において、洗浄水が、排水横枝配管６内の上流側領域６ｄ、及び下流側領域６ｅを洗浄することができ、バクテリアの増殖を抑制し、尿石６ｃの付着（発生）を抑制することができる。
また、第一設備洗浄モードＭ１において、洗浄水が、排水横枝配管６内の境界部６ｂ以上の最高高さ位置まで到達する喫水面ＷＬ１により洗浄することができ、境界部６ｂ上のバクテリアの増殖を抑制し、尿石６ｃの付着（発生）を抑制することができる。
【００４８】
次に、制御ユニット５４は、第一設備洗浄モードＭ１が終了（時刻ｔ９）してから、例えば約２０秒の所定時間（時刻ｔ９〜ｔ１０の間）経過後に、さらに、第二設備洗浄モードＭ２を開始させる（時刻ｔ１０）。この第二設備洗浄モードＭ２における洗浄動作については、前述の第二設備洗浄モードＭ２における洗浄動作と同様であるので説明を省略する。
第二設備洗浄モードＭ２において、洗浄水が、排水横枝配管６内の上流側領域６ｄ、及び下流側領域６ｅをより効果的に洗浄することができ、バクテリアの増殖を抑制し、尿石６ｃの付着（発生）を抑制することができる。
また、第二設備洗浄モードＭ２において、洗浄水が、排水横枝配管６内の境界部６ｂ以上の最高高さ位置の喫水面ＷＬ２まで到達する洗浄水により洗浄することができ、境界部６ｂ上のバクテリアの増殖を抑制し、尿石６ｃの付着（発生）を抑制することができる。
【００４９】
以降、この第二設備洗浄モードＭ２が終了した後、設備洗浄待機状態を継続し、さらに一定の所定時間が経過した場合、例えば約２時間の所定時間が経過した場合、制御ユニット５４は、再び第一設備洗浄モードＭ１及び第二設備洗浄モードＭ２をさらに繰り返し行うように制御することができる。別の言い方によれば、制御ユニット５４は、本洗浄モードＭ０の終了後に、第一設備洗浄モードＭ１及び第二設備洗浄モードＭ２の組を、所定時間おきに繰り返し実行するように制御することができる。
【００５０】
次に、本発明の実施形態による小便器１の洗浄動作の第２例について説明する。
本発明の実施形態による小便器１の洗浄動作の第２例は、時刻ｔ０〜ｔ７についての動作及び本洗浄モードＭ０、第一設備洗浄モードＭ１及び第二設備洗浄モードＭ２についての動作は第１例と同じであるが、一端、第二設備洗浄モードＭ２が実行された以後において第一設備洗浄モードＭ１及び/又は第二設備洗浄モードＭ２を実行する前に、又は実行している最中に、使用者が小便器を使用し本洗浄が再度行われることになる点で第１例と異なっている。
なお、図５において、上述した実施形態による小便器１の洗浄動作の第１例の動作と同一部分については同一の符号を付し、それらの説明は省略する。本洗浄モードＭ０、第一設備洗浄モードＭ１及び第二設備洗浄モードＭ２の動作の内容についても第１例における各動作の内容と同じであるので、説明を省略する。
【００５１】
図５に示すように、時刻ｔ０〜ｔ７において、上述の第１例に示した動作と同様に、人体検知センサ５２が使用者の小便器の使用を検知し、制御ユニット５４は、本洗浄モードＭ０、第一設備洗浄モードＭ１及び第二設備洗浄モードＭ２についての動作を行っている。
【００５２】
時刻ｔ７において、第二設備洗浄モードＭ２が終了した後、制御ユニット５４は、さらに一定の所定時間が経過するまでの間、例えば約２時間の所定時間が経過するまでの間、設備洗浄待機状態となり、引き続いて行われる予定の第一設備洗浄モードＭ１まで待機している。
この設備洗浄待機状態において、人体検知センサ５２が使用者の存在を検出し（時刻ｔ１２）、人体検知センサ５２が一定の使用判定時間以上の間検出状態を継続した後に、人体検知センサ５２が非検出状態に変わると（時刻ｔ１３）、制御ユニット５４は、使用者が小便器１に放尿して使用したと判断して、小便器１の洗浄のための本洗浄モードＭ０を開始させる（時刻ｔ１３）。
【００５３】
制御ユニット５４は、上述の設備洗浄待機状態と又は、第一設備洗浄モードＭ１又は第二設備洗浄モードＭ２の洗浄中以外の状態と、において、小便器１が使用されたと判断した場合には、これらの状態を中断且つ終了し、以後に予定されている第一設備洗浄モードＭ１及び/又は第二設備洗浄モードＭ２等の予定を全てキャンセルして、小便器１の洗浄のための本洗浄モードＭ０を開始させ、さらに引き続く設備洗浄を行う。
また、制御ユニット５４は、第一設備洗浄モードＭ１又は第二設備洗浄モードＭ２の洗浄中において、人体検知センサ５２が使用者の存在を検出した場合、当該第一設備洗浄モードＭ１又は第二設備洗浄モードＭ２の動作を中断且つ停止する。そして人体検知センサ５２による使用者の検知が所定時間以上にわたり継続した場合、制御ユニット５４は小便器１が使用されたと判断し、以後の待機状態、第一設備洗浄モードＭ１及び/又は第二設備洗浄モードＭ２等の予定をキャンセルして、改めて小便器１の洗浄のための本洗浄モードＭ０を開始させ、さらに引き続く設備洗浄を行う。一方、人体検知センサ５２による使用者の検知が所定時間未満であった場合は、制御ユニット５４は小便器１が使用されていないと判断し、上記中断且つ停止状態から、第一設備洗浄モードＭ１又は第二設備洗浄モードＭ２による小便器の洗浄を再開する。
【００５４】
このように所定の設備保護洗浄動作の途中で使用者が小便器１に放尿したような場合に、設備洗浄待機状態を継続して、排水横枝配管６内の洗浄が不十分な状態が継続し、排水横枝配管６内の尿石の付着（発生）を生じさせてしまうことを防ぐことができる。
また、第一設備洗浄モードＭ１又は第二設備洗浄モードＭ２の途中で使用者が小便器１に放尿したような場合に、第一設備洗浄モードＭ１又は第二設備洗浄モードＭ２の動作を継続して、本洗浄モードＭ０が行われないことにより、排水横枝配管６内の洗浄が不十分となり、排水横枝配管６内に尿石の付着（発生）を生じさせてしまうことを防ぐことができる。
【００５５】
制御ユニット５４は、本洗浄モードＭ０において予定された所定時間経過後、主給水流路電磁弁４０を閉弁し、本洗浄モードＭ０を終了させる（時刻ｔ１４）。以後、上述の第１例と同様に、制御ユニット５４は、本洗浄モードＭ０が終了（時刻ｔ１４）してから、例えば約２０秒の所定時間（時刻ｔ１４〜ｔ１５の間）経過後に、第一設備洗浄モードＭ１を開始させる（時刻ｔ１５）。制御ユニット５４は、所定時間経過後、主給水流路電磁弁４０を閉弁し、第一設備洗浄モードＭ１を終了させる（時刻ｔ１６）。また、制御ユニット５４は、第一設備洗浄モードＭ１が終了（時刻ｔ１６）してから、例えば約２０秒の所定時間（時刻ｔ１６〜ｔ１７の間）経過後に、第二設備洗浄モードＭ２を開始させる。制御ユニット５４は、所定時間経過後、主給水流路電磁弁４０を閉弁し、第二設備洗浄モードＭ２を終了させ（時刻ｔ１８）、さらに一定の所定時間が経過するまでの間、例えば約２時間の所定時間が経過するまでの間、設備洗浄待機状態を継続することとなる。このようにして、小便器１の一連の洗浄保護洗浄動作は原則的には繰り返し継続し、継続的に、排水横枝配管６内に、尿石を付着（発生）させることを抑制することができる。
【００５６】
次に、上述した本発明の実施形態による小便器１の作用効果を説明する。
上述した本発明の実施形態による小便器１によれば、排水トラップ部２０内の尿を排出する本洗浄モードＭ０において、排水横枝配管６内の小便器排水管４が接続された接続部５６より上流側まで尿が逆流されて残存してしまう場合においても、本洗浄モードＭ０が実行された後、一部の洗浄水が排水横枝配管６内を小便器排水管４が接続された接続部５６より上流側を洗浄する第一設備洗浄モードＭ１と、第一設備洗浄モードＭ１が実行された後から、第一設備洗浄モードＭ１により接続部５６よりも上流側を洗浄した洗浄水が接続部５６よりも下流側に流下すると想定される所定時間を経過した後、一部の洗浄水が接続部５６よりも上流側を洗浄する第二設備洗浄モードＭ２と、により２回の洗浄を行うことができる。また、第一設備洗浄モードＭ１と第二設備洗浄モードＭ２とのうち少なくとも何れか一方においては、排水トラップ部２０から下流側に排出される排出水量又は瞬間流量の値が本洗浄モードＭ０における排水トラップ部２０から下流側に排出される排出水量又は瞬間流量の値以上の値となっている。
従って、本洗浄モードＭ０が実行された後、排水横枝配管６内を小便器排水管４が接続された接続部５６より上流側まで逆流されて残存している尿を、排水横枝配管６から排出することができ、排水横枝配管６内の接続部５６より上流側における尿石の発生を抑制することができる。
また、第一設備洗浄モードＭ１と第二設備洗浄モードＭ２とのうち少なくとも何れか一方においては、排水トラップ部２０から下流側に排出される排出水量又は瞬間流量の値が本洗浄モードＭ０における排水トラップ部２０から下流側に排出される排出水量又は瞬間流量の値以上の値となる。よって、第一設備洗浄モードＭ１と第二設備洗浄モードＭ２とのうち少なくとも何れか一方における排水横枝配管６内の洗浄水の喫水面の高さを、本洗浄モードＭ０おける排水横枝配管６内の洗浄水の喫水面の高さ以上にさせることができる。本洗浄モードＭ０における排水横枝配管６内の洗浄水の喫水面近傍を尿濃度の比較的低い洗浄水で洗浄することができ、尿石が付着しやすいこの喫水面近傍を効果的に洗浄して、尿石の発生を抑制することができる。
従って、節水化により洗浄水量が低減されている場合においても、排水横枝配管６における尿石の発生を抑制をすることができる。
【００５７】
本発明の実施形態による小便器１によれば、第一設備洗浄モードＭ１及び第二設備洗浄モードＭ２において、排水トラップ部２０から下流側に排出される排出水量又は排出瞬間流量の値が、本洗浄モードＭ０における排出水量又は排出瞬間流量の値以上となる。
また、第一設備洗浄モードＭ１における排水横枝配管６内の洗浄水の喫水面の高さを、本洗浄モードＭ０おける排水横枝配管６内の洗浄水の喫水面の高さ以上にさせることができ、さらに、第二設備洗浄モードＭ２における排水横枝配管６内の洗浄水の喫水面の高さを、第一設備洗浄モードＭ１における排水横枝配管６内の洗浄水の喫水面の高さ以上にさせることができる。従って、本洗浄モードＭ０おける排水横枝配管６内の洗浄水の喫水面近傍を、本洗浄モードＭ０おける洗浄水よりも尿濃度の比較的低い第一設備洗浄モードＭ１における洗浄水で洗浄することができ、さらに、第一設備洗浄モードＭ１おける洗浄水よりも尿濃度の比較的低い第二設備洗浄モードＭ２における洗浄水で洗浄することができ、尿石が付着しやすいこの喫水面近傍を効果的に洗浄して、尿石の発生を抑制することができる。
また、本洗浄モードＭ０が実行された後、排水横枝配管６内において接続部５６より上流側まで逆流されて残存している尿を、その尿より上流側まで到達する第一設備洗浄モードＭ１における洗浄水により洗浄を行うことができ、さらに、第一設備洗浄モードＭ１における洗浄水より上流側まで到達する第二設備洗浄モードＭ２における洗浄水により洗浄を行うことができ、効果的に排水横枝配管６から排出することができ、排水横枝配管６内の接続部５６より上流側における尿石の発生を抑制することができる。
従って、節水化により洗浄水量が低減されている場合においても、排水横枝配管６における尿石の発生を抑制をすることができる。
【００５８】
本発明の実施形態による小便器１によれば、排水トラップ部２０から下流側に排出される排出瞬間流量の値が、徐々に増大される。
よって、第一設備洗浄モードＭ１における排水横枝配管６内の洗浄水の喫水面の高さを、本洗浄モードＭ０における排水横枝配管６内の洗浄水の喫水面の高さ以上にさせることができ、さらに、第二設備洗浄モードＭ２における排水横枝配管６内の洗浄水の喫水面の高さを、第一設備洗浄モードＭ１における排水横枝配管６内の洗浄水の喫水面の高さ以上にさせることができる。従って、本洗浄モードＭ０おける排水横枝配管６内の洗浄水の喫水面近傍を、本洗浄モードＭ０における洗浄水よりも尿濃度の比較的低い第一設備洗浄モードＭ１における洗浄水で洗浄することができ、さらに、第一設備洗浄モードＭ１における洗浄水よりも尿濃度の比較的低い第二設備洗浄モードＭ２における洗浄水で洗浄することができ、尿石が付着しやすいこの喫水面近傍を効果的に洗浄して、尿石の発生を抑制することができる。
また、本洗浄モードＭ０が実行された後、排水横枝配管６内を接続部５６より上流側まで逆流されて残存している尿を、その尿より上流側まで到達する第一設備洗浄モードＭ１における洗浄水により洗浄を行うことができ、さらに、第一設備洗浄モードＭ１における洗浄水より上流側まで到達する第二設備洗浄モードＭ２における洗浄水により洗浄を行うことができ、効果的に排水横枝配管６から排出することができ、排水横枝配管６内の小便器排水管４が接続された接続部５６より上流側における尿石の発生を抑制することができる。
従って、節水化により洗浄水量が低減されている場合においても、排水横枝配管６における尿石の発生を抑制をすることができる。
【００５９】
本発明の実施形態による小便器１によれば、本洗浄モードＭ０、第一設備洗浄モードＭ１及び第二設備洗浄モードＭ２の何れにおいてもスプレッダ３２からボウル部１６への供給瞬間流量がほぼ同一とされている場合に、本洗浄モードＭ０、第一設備洗浄モードＭ１及び第二設備洗浄モードＭ２の各々において、排水トラップ部２０の流路抵抗を受けて排水トラップ部２０の入口近傍に一時的に貯まる洗浄水の水頭高さを異ならせることができる。従って、スプレッダ３２からボウル部１６への供給瞬間流量を変更させるための特別な構成を必要とすることなく、比較的簡単に、排水トラップ部２０の入口近傍に一時的に貯まる洗浄水の水頭高さに応じ、本洗浄モードＭ０、第一設備洗浄モードＭ１及び第二設備洗浄モードＭ２の各々における排出瞬間流量の値を決定することができる。
【００６０】
本発明の実施形態による小便器１によれば、本洗浄モードＭ０が実行された後、第一設備洗浄モードＭ１及び第一設備洗浄モードＭ１が実行された後に実行される第二設備洗浄モードＭ２を所定時間おきに繰り返し実行する。従って、継続的に、設備洗浄を実行し、排水横枝配管６内を接続部５６より上流側まで逆流されて残存している尿を、排水横枝配管６から排出することができ、排水横枝配管６内の小便器排水管４が接続された接続部より上流側における尿石の発生を抑制することができる。
また、継続的に、設備洗浄を実行し、本洗浄モードＭ０における排水横枝配管６内の洗浄水の喫水面近傍を尿濃度の比較的低い洗浄水で洗浄することができ、尿石が付着しやすいこの喫水面近傍を効果的に洗浄して、尿石の発生を抑制することができる。
【００６１】
本発明の実施形態による小便器１によれば、本洗浄モードＭ０が実行された後、第一設備保護洗浄モードＭ１又は第二設備保護洗浄モードＭ２の実行中の状態において、人体検知センサ５２が使用者の検知を行った場合、制御ユニット５４は、第一設備保護洗浄モードＭ１又は第二設備保護洗浄モードＭ２を停止し、人体検知センサ５２による使用者の検知が所定時間以上である場合は、小便器１が使用されたと判断し、以後の第一設備保護洗浄モードＭ１又は第二設備保護洗浄モードＭ２の実行をキャンセルし、本洗浄モードＭ０を実行し、本洗浄モードＭ０が実行された後、第一設備洗浄モードＭ１及び第一設備洗浄モードＭ１が実行された後に実行される第二設備洗浄モードＭ２を所定時間おきに繰り返し実行することができる。
【００６２】
本発明の実施形態による小便器１によれば、本洗浄モードＭ０が実行された後、第一設備保護洗浄モードＭ１又は第二設備保護洗浄モードＭ２の実行中の状態において、人体検知センサ５２が使用者の検知を行った場合、制御ユニット５４は、第一設備保護洗浄モードＭ１又は第二設備保護洗浄モードＭ２を停止し、人体検知センサ５２による使用者の検知が所定時間未満である場合は、小便器１が使用されていないと判断し、以後の第一設備保護洗浄モードＭ１又は第二設備保護洗浄モードＭ２の実行をキャンセルせずに、停止された状態から、第一設備保護洗浄モードＭ１又は第二設備保護洗浄モードＭ２の実行を再開し、第一設備洗浄モードＭ１及び第一設備洗浄モードＭ１が実行された後に実行される第二設備洗浄モードＭ２を所定時間おきに繰り返し実行することができる。
【００６３】
本発明の実施形態による小便器１によれば、第二洗浄モードＭ２が実行され、排水トラップ２０及び排水横枝配管６内から尿がおおむね除去されていると想定される状態で、制御ユニット５４が、電解水洗浄モードを実行し、電解水を排水トラップ２０及び排水横枝管６に流すことにより、排水トラップ２０及び排水横枝配管６内のバクテリアの増殖を抑制することができ、尿石の発生をより抑制することができる。
【００６４】
本発明の実施形態による小便器１によれば、第一洗浄モードＭ１、第二洗浄モードＭ２、又は第一洗浄モードＭ１及び第二洗浄モードＭ２が実行され、排水トラップ２０及び排水横枝配管６内から尿がおおむね除去されていると想定される状態で、制御ユニット５４が、電解水洗浄モードを実行し、電解水を排水トラップ２０及び排水横枝管に流すことにより、排水トラップ２０及び排水横枝配管６内のバクテリアの増殖を抑制することができ、尿石の発生をより抑制することができる。
【符号の説明】
【００６５】
１      小便器
２      壁面
４      小便器排水管
６      排水横枝配管
６ａ    内側壁面
６ｂ    境界部
６ｃ    尿石
６ｄ    上流側領域
６ｅ    下流側領域
８      小便器本体
１０    自動便器洗浄ユニット
１２    収納室
１４    前面
１６    ボウル部
１６ａ  底部
１８    排水口部
１８ａ  入口部
１８ｂ  出口部
２０    排水トラップ
２２    排水器具接続部
２３    蓋
２４    排水ソケット
２６    給水管
２８    止水弁
３０    バルブユニット
３２    スプレッダ
３４    分岐部
３６    主給水流路
３８    定流量弁
４０    主給水流路電磁弁
４２    電解水流路
４４    定流量弁
４６    電解水流路電磁弁
４８    逆止弁
５０    電解水注入ユニット
５２    人体検知センサ
５４    制御ユニット
５６    接続部
５８    目皿
６０    排水口
Ｂ      矢印
Ｅ      下流側
Ｆ      上流側
Ｍ０    本洗浄モード
Ｍ１    第一設備洗浄モード
Ｍ２    第二設備洗浄モード
Ｔ０    最高到達点
Ｔ１    最高到達点
Ｔ２    最高到達点
Ｕ      尿
Ｗ      溜水
Ｗｆ    洗浄水
ＷＬ０  喫水面
ＷＬ１  喫水面
ＷＬ２  喫水面
【図１】
0006540937.tif 000002
【図２】
0006540937.tif 000003
【図３】
0006540937.tif 000004
【図４】
0006540937.tif 000005
【図５】
0006540937.tif 000006
【図６】
0006540937.tif 000007
【図７】
0006540937.tif 000008
【図８】
0006540937.tif 000009
【図９】
0006540937.tif 000010